(57)【要約】【課題】所望のコンテンツデータを容易かつ安価に入手し得る通信端末を実現する。【解決手段】携帯端末１０（通信端末）は、無線通信網ＲＮを経由してインターネットＩＴＮ上の音楽配信サービス装置４０から楽曲リストを取得し、この楽曲リストの中から入手したい曲目を選択して楽曲データ送信要求を作成する。作成した楽曲データ送信要求を、充電台２０を介した有線接続、赤外線通信あるいは無線ＬＡＮ基地局５０を介した無線接続のいずれかでＰＣ３０に送信する。携帯端末１０は、ＰＣ３０が楽曲データ送信要求に基づき音楽配信サービス装置４０から受信した楽曲データを、充電台２０を介した有線接続、赤外線通信あるいは無線ＬＡＮ基地局５０を介した無線接続のいずれかで受信する結果、所望のコンテンツデータを容易かつ安価に入手し得るようになる。【選択図】図１
2008180771.tif 000002
【特許請求の範囲】
【請求項１】
サービス装置から配信されるコンテンツデータを、中継装置を介して入手する通信端末であって、
配信可能なコンテンツデータを表すコンテンツ情報を、サービス装置から取得するコンテンツ情報取得手段と、
前記コンテンツ情報取得手段により取得されたコンテンツ情報の内から入手したいコンテンツデータを指定する要求情報を発生する要求情報発生手段と、
前記中継装置との通信の可否を判別する判別手段と、
前記判別手段により中継装置との通信が可能と判別された場合に、前記要求情報手段が発生する要求情報を中継装置に送信する第１の送信手段と、
前記第１の送信手段から送信される要求情報を受信した中継装置が、当該要求情報に従ってサービス装置から受信して送信するコンテンツデータを受信する第１の受信手段と
を具備することを特徴とする通信端末。
【請求項２】
前記判別手段により中継装置との通信が不可と判別された場合に、前記要求情報手段が発生する要求情報をサービス装置へ送信する第２の送信手段と、
前記第２の送信手段から送信される要求情報を受信したサービス装置が、当該要求情報に従って配信するコンテンツデータを受信する第２の受信手段と
を更に具備することを特徴とする請求項１記載の通信端末。
【請求項３】
前記判別手段により中継装置との通信が不可と判別された場合に、当該中継装置との通信が可能になることを監視し、通信が可能になったときに前記第１の送信手段に要求情報の送信を指示する送信指示手段と
を更に具備することを特徴とする請求項１記載の通信端末。
【請求項４】
前記第１の送信手段は、中継装置との直接的な無線通信、基地局を介した無線通信および充電装置を介した通信のいずれかで要求情報を送信することを特徴とする請求項１記載の通信端末。
【請求項５】
中継装置との通信が、直接的な無線通信又は基地局を介した無線通信のいずれかである場合、前記送信指示手段は、通信可能領域にあるか否かを監視することを特徴とする請求項３記載の通信端末。
【請求項６】
中継装置との通信が、充電装置を介した通信である場合、前記送信指示手段は、当該充電装置に接続されたか否かを監視することを特徴とする請求項３記載の通信端末。
【請求項７】
時刻を指定する時刻指定手段と、
前記時刻指定手段により指定された時刻に、前記第１の送信手段に要求情報の送信を指示する送信指示手段と
を更に具備することを特徴とする請求項１記載の通信端末。
【請求項８】
サービス装置から配信されるコンテンツデータを蓄積記憶する蓄積記憶手段と
通信端末から送信され、当該通信端末側で入手したいコンテンツデータを指定する要求情報を受信する受信手段と、
前記受信手段により受信した要求情報で指定されるコンテンツデータを前記蓄積記憶手段から検索する検索手段と、
前記検索手段により該当するコンテンツデータが前記蓄積記憶手段から検索された場合には、その検索されたコンテンツデータを前記蓄積記憶手段から読み出して通信端末に送信する第１の送信手段と、
前記検索手段により該当するコンテンツデータが前記蓄積記憶手段から検索されない場合には、前記受信手段により受信した要求情報をサービス装置に送信する要求情報送信手段と、
前記要求情報送信手段が送信する要求情報に応じてサービス装置から配信されるコンテンツデータを受信して前記蓄積記憶手段に蓄積記憶すると共に、その受信したコンテンツデータを通信端末に送信する第２の送信手段と
を具備することを特徴とする中継装置。
【請求項９】
サービス装置から配信されるコンテンツデータを、中継装置を介して入手する通信端末において実行されるプログラムであって、
配信可能なコンテンツデータを表すコンテンツ情報を、サービス装置から取得するコンテンツ情報取得処理と、
前記コンテンツ情報取得処理で取得されたコンテンツ情報の内から入手したいコンテンツデータを指定する要求情報を発生する要求情報発生処理と、
前記中継装置との通信の可否を判別する判別処理と、
前記判別処理により中継装置との通信が可能と判別された場合に、前記要求情報処理で生成される要求情報を中継装置に送信する第１の送信処理と、
前記第１の送信処理により送信される要求情報を受信した中継装置が、当該要求情報に従ってサービス装置から受信して送信するコンテンツデータを受信する受信処理と
を具備することを特徴とする通信端末の処理プログラム。
【請求項１０】
サービス装置から配信されるコンテンツデータを蓄積記憶する中継装置において実行されるプログラムであって、
通信端末から送信され、当該通信端末側で入手したいコンテンツデータを指定する要求情報を受信する受信処理と、
前記受信処理により受信された要求情報で指定されるコンテンツデータを検索する検索処理と、
蓄積記憶されたコンテンツデータの内から前記検索処理が該当するコンテンツデータを検索した場合には、その検索されたコンテンツデータを通信端末に送信する第１の送信処理と、
蓄積記憶されたコンテンツデータの内から前記検索処理が該当するコンテンツデータを検索できない場合には、前記受信処理により受信された要求情報をサービス装置に送信する要求情報送信処理と、
前記要求情報送信処理にて送信される要求情報に応じてサービス装置から配信されるコンテンツデータを受信して蓄積記憶すると共に、通信端末に送信する第２の送信処理と
を具備することを特徴とする中継装置の処理プログラム。
【発明の詳細な説明】
【技術分野】
【０００１】
本発明は、例えば楽曲データを配信する音楽配信システム等のコンテンツデータ配信システムに用いて好適な通信端末、中継装置、通信端末の処理プログラムおよび中継装置の処理プログラムに関する。
【背景技術】
【０００２】
近年、インターネットを利用して楽曲データや画像データなど様々なコンテンツデータを配信するサービスが実用化されている。この種のサービスを提供する技術として、例えば特許文献１には、楽曲データを蓄積するデータベース、サービス加入者（ユーザ）情報や課金情報を管理する管理システムおよび課金処理や配信処理を制御する制御システムなどを含むサービス装置と、このサービス装置とインターネットを介して通信可能に接続され、楽曲データを蓄積記憶可能なユーザのパーソナルコンピュータ（以下、ＰＣと略記する）と、このＰＣと通信可能に接続される通信端末（携帯型の音楽プレイヤ）とから構成される音楽配信システムが開示されている。
【０００３】
この音楽配信システムでは、ユーザがＰＣを操作してサービス装置から所望の楽曲データを受信し、受信した楽曲データをＰＣに記憶させておく。ユーザは、ＰＣに記憶させた楽曲データをＰＣで再生させることも出来るし、ＰＣから通信端末に送信して記憶させておき、この通信端末で再生させることもできるようになっている。また、通信端末に所望の楽曲データを記憶させておけば、ユーザはその通信端末を携帯して外出先で楽曲データを再生して聴くことができる。
【０００４】
ところで、上記構成の音楽配信システムでは、サービス装置が配信可能な楽曲データであっても、その楽曲データがＰＣ側に記憶されていなければ、通信端末はＰＣ側から受信して記憶することが叶わず、再生聴取することが出来ない。そこで、こうした弊害を解決するものとして、例えば特許文献２に開示されているように、ＰＣを介することなく、サービス装置と通信端末とが無線回線を介してネットワーク接続し、サービス装置から通信端末へ直接データ配信するサービスも知られている。
【０００５】
【特許文献１】特開２０００−０９９０１０号公報
【特許文献２】特開２００２−０２３７６８号公報
【発明の開示】
【発明が解決しようとする課題】
【０００６】
ところで、ＰＣがサービス装置に有線や無線回線を介して接続する際の通信料よりも、通信端末がサービス装置に無線接続する際の通信料の方が割高である為、サービス装置から楽曲データのようにデータサイズの大きいコンテンツを直接受信すると、ＰＣによる受信に比べ、通信端末で受信した場合に多くの通信料がかかる。さらには、ユーザがＰＣを利用した音楽配信サービスと通信端末で直接受信する音楽配信サービスとを併用していると、例えば同じ楽曲データをＰＣと通信端末との双方で受信してしまい、これにより受信料金やそれに要する通信料が重複して課金されるという弊害も生じる。つまり、以上を換言すれば、所望のコンテンツデータを容易かつ安価に入手することができない、という問題がある。
【０００７】
本発明は、このような事情に鑑みてなされたもので、所望のコンテンツデータを容易かつ安価に入手することができる通信端末、中継装置、通信端末の処理プログラムおよび中継装置の処理プログラムを提供することを目的としている。
【課題を解決するための手段】
【０００８】
上記目的を達成するため、請求項１に記載の発明では、サービス装置から配信されるコンテンツデータを、中継装置を介して入手する通信端末であって、配信可能なコンテンツデータを表すコンテンツ情報を、サービス装置から取得するコンテンツ情報取得手段と、前記コンテンツ情報取得手段により取得されたコンテンツ情報の内から入手したいコンテンツデータを指定する要求情報を発生する要求情報発生手段と、前記中継装置との通信の可否を判別する判別手段と、前記判別手段により中継装置との通信が可能と判別された場合に、前記要求情報手段が発生する要求情報を中継装置に送信する第１の送信手段と、前記第１の送信手段から送信される要求情報を受信した中継装置が、当該要求情報に従ってサービス装置から受信して送信するコンテンツデータを受信する第１の受信手段とを具備することを特徴とする。
【０００９】
上記請求項１に従属する請求項２に記載の発明では、前記判別手段により中継装置との通信が不可と判別された場合に、前記要求情報手段が発生する要求情報をサービス装置へ送信する第２の送信手段と、前記第２の送信手段から送信される要求情報を受信したサービス装置が、当該要求情報に従って配信するコンテンツデータを受信する第２の受信手段とを更に具備することを特徴とする。
【００１０】
上記請求項１に従属する請求項３に記載の発明では、前記判別手段により中継装置との通信が不可と判別された場合に、当該中継装置との通信が可能になることを監視し、通信が可能になったときに前記第１の送信手段に要求情報の送信を指示する送信指示手段とを更に具備することを特徴とする。
【００１１】
上記請求項１に従属する請求項４に記載の発明では、前記第１の送信手段は、中継装置との直接的な無線通信、基地局を介した無線通信および充電装置を介した通信のいずれかで要求情報を送信することを特徴とする。
【００１２】
上記請求項３に従属する請求項５に記載の発明では、中継装置との通信が、直接的な無線通信又は基地局を介した無線通信のいずれかである場合、前記送信指示手段は、通信可能領域にあるか否かを監視することを特徴とする。
【００１３】
上記請求項３に従属する請求項６に記載の発明では、中継装置との通信が、充電装置を介した通信である場合、前記送信指示手段は、当該充電装置に接続されたか否かを監視することを特徴とする。
【００１４】
上記請求項１に従属する請求項７に記載の発明では、時刻を指定する時刻指定手段と、前記時刻指定手段により指定された時刻に、前記第１の送信手段に要求情報の送信を指示する送信指示手段とを更に具備することを特徴とする。
【００１５】
請求項８に記載の発明では、サービス装置から配信されるコンテンツデータを蓄積記憶する蓄積記憶手段と通信端末から送信され、当該通信端末側で入手したいコンテンツデータを指定する要求情報を受信する受信手段と、前記受信手段により受信した要求情報で指定されるコンテンツデータを前記蓄積記憶手段から検索する検索手段と、前記検索手段により該当するコンテンツデータが前記蓄積記憶手段から検索された場合には、その検索されたコンテンツデータを前記蓄積記憶手段から読み出して通信端末に送信する第１の送信手段と、前記検索手段により該当するコンテンツデータが前記蓄積記憶手段から検索されない場合には、前記受信手段により受信した要求情報をサービス装置に送信する要求情報送信手段と、前記要求情報送信手段が送信する要求情報に応じてサービス装置から配信されるコンテンツデータを受信して前記蓄積記憶手段に蓄積記憶すると共に、その受信したコンテンツデータを通信端末に送信する第２の送信手段とを具備することを特徴とする。
【００１６】
請求項９に記載の発明では、サービス装置から配信されるコンテンツデータを、中継装置を介して入手する通信端末において実行されるプログラムであって、配信可能なコンテンツデータを表すコンテンツ情報を、サービス装置から取得するコンテンツ情報取得処理と、前記コンテンツ情報取得処理で取得されたコンテンツ情報の内から入手したいコンテンツデータを指定する要求情報を発生する要求情報発生処理と、前記中継装置との通信の可否を判別する判別処理と、前記判別処理により中継装置との通信が可能と判別された場合に、前記要求情報処理で生成される要求情報を中継装置に送信する第１の送信処理と、前記第１の送信処理により送信される要求情報を受信した中継装置が、当該要求情報に従ってサービス装置から受信して送信するコンテンツデータを受信する受信処理とを具備することを特徴とする。
【００１７】
請求項１０に記載の発明では、サービス装置から配信されるコンテンツデータを蓄積記憶する中継装置において実行されるプログラムであって、通信端末から送信され、当該通信端末側で入手したいコンテンツデータを指定する要求情報を受信する受信処理と、前記受信処理により受信された要求情報で指定されるコンテンツデータを検索する検索処理と、蓄積記憶されたコンテンツデータの内から前記検索処理が該当するコンテンツデータを検索した場合には、その検索されたコンテンツデータを通信端末に送信する第１の送信処理と、蓄積記憶されたコンテンツデータの内から前記検索処理が該当するコンテンツデータを検索できない場合には、前記受信処理により受信された要求情報をサービス装置に送信する要求情報送信処理と、前記要求情報送信処理にて送信される要求情報に応じてサービス装置から配信されるコンテンツデータを受信して蓄積記憶すると共に、通信端末に送信する第２の送信処理とを具備することを特徴とする。
【発明の効果】
【００１８】
本発明では、配信可能なコンテンツデータのなかから送信所望のコンテンツデータを容易かつ安価に入手できる。
【発明を実施するための最良の形態】
【００１９】
以下、図面を参照して本発明の実施の形態について説明する。
Ａ．構成  
（１）システム構成
図１は、本発明による携帯端末１０（通信端末）が適用される音楽配信システムの概略構成を示すシステム構成図である。この図に示す音楽配信システムは、携帯端末１０、中継装置として機能するパーソナルコンピュータ３０（以下、ＰＣ３０と称す）および音楽配信サービス装置４０から構成される。
【００２０】
携帯端末１０は、移動無線通信機能を有し、基地局ＢＳ、交換機ＳＷおよび無線通信網ＲＮを経由してインターネットＩＴＮ上の配信サイトである音楽配信サービス装置４０にアクセスする。携帯端末１０は、音楽配信サービス装置４０にアクセスして楽曲リスト（コンテンツ情報）を取得する。楽曲リストは、音楽配信サービス装置４０が配信可能な楽曲データの曲目を一覧表示するためのデータである。
【００２１】
ＰＣ３０は、有線回線又は無線回線を介してインターネットＩＴＮ上の配信サイトである音楽配信サービス装置４０にアクセスし、所望の楽曲データを受信する。受信された楽曲データは、ＰＣ３０が備えるハードディスク等の記憶媒体に蓄積記憶される。携帯端末１０とＰＣ３０とは、クレードルと呼ばれる充電台２０に携帯端末１０が載置装着された状態での有線接続、赤外線通信もしくは無線ＬＡＮ基地局５０を介した無線接続でデータ授受するように構成されている。
【００２２】
インターネットＩＴＮ上の配信サイトである音楽配信サービス装置４０は、楽曲データベース４０ａ、加入者情報管理装置４０ｂ、配信制御装置４０ｃおよび課金処理装置４０ｄを備える。楽曲データベース４０ａは、各種曲目の楽曲データを記憶管理しており、配信制御装置４０ｃからの要求に応じて楽曲リストや楽曲データを出力する。加入者情報管理装置４０ｂは、配信サイト（サービス装置４０）に会員登録したユーザ毎の属性（氏名、住所、ＩＤ番号（又は携帯番号）およびクレジット情報など）を記憶管理する。
【００２３】
配信制御装置４０ｃは、アクセス認証された正当なユーザ、つまり、加入者情報管理装置４０ｂに会員登録されたユーザ（携帯端末１０又はＰＣ３０）からの要求に対応した種類のＷｅｂページ画面（ＨＴＭＬファイル）を返送してＷｅｂページ画面を閲覧させ、このＷｅｂページ画面を閲覧したユーザからの要求に応じた処理を実行する。具体的には、携帯端末１０から楽曲リストが要求されると、楽曲データベース４０ａが発生する楽曲リストを、要求をした携帯端末１０に返送する。ＰＣ３０から指定曲目の楽曲データが要求されると、楽曲データベース４０ａが読み出す楽曲データを、要求をしたＰＣ３０に送信する。課金処理装置４０ｄは、図示されていないネットバンキングシステムにアクセスし、加入者情報管理装置４０ｂに登録されるユーザの決済条件（クレジット情報）を参照して受信料金のオンライン決済を依頼する。
【００２４】
上記構成による音楽配信システムにおいて、携帯端末１０が無線通信網ＲＮを経由してインターネットＩＴＮ上の配信サイトである音楽配信サービス装置４０にアクセスして楽曲リストを取得し、取得した楽曲リストの中から入手したい曲目を選択する。選択した曲目は、充電台２０を介した有線接続、赤外線通信あるいは無線ＬＡＮ基地局５０を介した無線接続のいずれかで携帯端末１０からＰＣ３０に送信される。
【００２５】
ＰＣ３０は、携帯端末１０から入手したい曲目を受信すると、その曲目の楽曲データがハードディスク等の記憶媒体に記憶されているか検索する。記憶されていれば、その曲目の楽曲データを充電台２０を介した有線接続、赤外線通信あるいは無線ＬＡＮ基地局５０を介した無線接続のいずれかにより携帯端末１０に送信する。一方、記憶されていなければ、インターネットＩＴＮ上の音楽配信サービス装置４０にアクセスし、その曲目の楽曲データを受信する。ＰＣ３０に受信された楽曲データは、充電台２０を介した有線接続、赤外線通信あるいは無線ＬＡＮ基地局５０を介した無線接続のいずれかにより携帯端末１０に送信される。こうすることで、携帯端末１０では、所望のコンテンツデータ（楽曲データ）を容易かつ安価に入手し得るようになる。
【００２６】
（２）携帯端末１０の構成
次に、図２を参照して上記構成によるシステムに適用される携帯端末１０の構成を説明する。図２において、ＣＰＵ１００は、操作部１０９（後述する）から供給されるイベントに応じて端末各部の動作を制御する。本発明の要旨に係わるＣＰＵ１００の特徴的な処理動作については追って詳述する。ＲＯＭ１０１は、プログラムエリアおよびデータエリアを備える。ＲＯＭ１０１のプログラムエリアには、ＣＰＵ１００により実行される各種プログラムが記憶される。各種プログラムとは、後述するメインルーチン、楽曲データ指定処理および受信処理を含む。なお、受信処理は、充電台を介した受信処理、無線ＬＡＮによる受信処理、赤外線通信による受信処理および直接通信による受信処理を含む。ＲＯＭ１０１のデータエリアには、所定のプログラムにより参照される制御データの他、例えば待受画面などを形成する各種画面データが格納される。
【００２７】
ＲＡＭ１０２は、加入者情報記憶部１０２ａ、課金情報記憶部１０２ｂ、楽曲データ記憶部１０２ｃ、設定情報記憶部１０２ｄ、楽曲データ送信要求記憶部１０２ｅおよび未受信フラグ記憶部１０２ｆを備える。加入者情報記憶部１０２ａには、配信サイト（音楽配信サービス装置４０）へのアクセス認証に必要なＩＤ番号（又は携帯番号）やパスワード等の加入者情報が記憶される。課金情報記憶部１０２ｂには、配信サイトから楽曲データを直接受信する際に必要となるクレジット情報などの課金情報が記憶される。楽曲データ記憶部１０２ｃには、ＰＣ３０から受信した楽曲データあるいは配信サイトから直接受信した楽曲データが記憶される。
【００２８】
設定情報記憶部１０２ｄには、図３に図示する直接受信フラグＦ１、自動受信フラグＦ２、自動受信時刻ＡＲＴおよび自動再生フラグＦ３が格納される。これらフラグＦ１〜Ｆ３並びに自動受信時刻ＡＲＴは、ユーザ操作により設定される。直接受信フラグＦ１は、ＰＣ３０と通信ができない場合に配信サイト（音楽配信サービス装置４０）から楽曲データを直接受信する動作（後述する「直接通信による受信処理」を行うか否かを指定するフラグである。直接受信フラグＦ１がオン設定（「１」）されていれば、「直接通信による受信処理」を実行させ、オフ設定（「０」）ならば実行させない。
【００２９】
自動受信フラグＦ１は、ＰＣ３０あるいは音楽配信サービス装置４０から楽曲データを自動的に受信するか否かを指定するフラグである。自動受信フラグＦ１がオン設定（「１」）されていれば、後述する「受信処理」を実行させる。オフ設定（「０」）されている場合には「受信処理」を実行させない。自動再生フラグＦ３は、ＰＣ３０あるいは音楽配信サービス装置４０から楽曲データを受信し終えた時点で、当該楽曲データを自動的に再生するか否かを指定するフラグであり、オン設定（「１」）されていれば自動再生させ、オフ設定（「０」）ならば自動再生は行わない。
【００３０】
楽曲データ送信要求記憶部１０２ｅには、図４に図示するように、楽曲ＩＤおよび楽曲タイトルから構成される楽曲データ送信要求が送信順に格納される。楽曲ＩＤおよび楽曲タイトルは、後述するように、音楽配信サービス装置４０から取得した楽曲リストの内から選曲指定した楽曲データに付加される識別情報および曲目に相当する。未受信フラグ記憶部１０２ｆには、楽曲データ送信要求を送信した楽曲データについて未受信である場合にオン（「１」）、受信済みの場合にオフ（「０」）となる未受信フラグが記憶される。
【００３１】
無線通信送受信部１０３は、ＣＰＵ１００の制御の下に、アンテナＡＮＴ１を介して基地局ＢＳとデータ授受する。また、アンテナＡＮＴ１を介して受信復調した音声データをＣＰＵ１００に出力する一方、ＣＰＵ１００から供給される音声データを変調して得た送信信号を高周波増幅してアンテナＡＮＴ１から送信する。無線ＬＡＮ送受信部１０４は、ＣＰＵ１００の制御の下に、アンテナＡＮＴ２を介して無線ＬＡＮ基地局５０（図１参照）とデータ授受する。赤外線通信部１０５は、ＣＰＵ１００の制御の下にＰＣ３０側の赤外線通信ポートとデータ授受する。
【００３２】
充電台接続部１０６は、図示されていない充電器の充電端子に電気的に接続されてバッテリー充電する一方、ＣＰＵ１００の制御の下に、ＰＣ３０と接続されるＵＳＢケーブルを介してデータ授受する。音声信号処理部１０７は、スピーカＳＰおよびマイクＭＩＣを備え、ＣＰＵ１００から供給される音声データを音声信号にＤ／Ａ変換してスピーカＳＰから発音させたり、マイクＭＩＣから出力される音声信号を音声データにＡ／Ｄ変換してＣＰＵ１００に供給する。表示部１０８は、カラー液晶パネルおよび表示ドライバから構成され、ＣＰＵ１００の制御の下に、待受画面など各種画面を表示する。
【００３３】
操作部１０９には、パワーオンオフする電源スイッチ、通話開始／終了時に操作されるオフフック／オンフックスイッチ、ダイヤルスイッチと兼用の文字入力スイッチ等の各種操作キーの他、上述した設定情報記憶部１０２ｄに記憶される直接受信フラグＦ１、自動受信フラグＦ２、自動受信時刻ＡＲＴおよび自動再生フラグＦ３を設定する設定ボタン、ｗｅｂサイト接続時に操作されるｗｅｂサイトボタン、楽曲データを受信したり再生させる操作ボタン等を有し、これらキーやボタンの操作に応じたイベントを発生してＣＰＵ１００に出力する。ＲＴＣ１１０は、時刻計時やタイマ割込みに用いるリアルタイムクロックを発生する。楽音再生部１１１は、ＣＰＵ１００が楽曲データ記憶部１０２ｃから読み出す楽曲データをデコードした後、Ｄ／Ａ変換して得られる楽音信号を増幅してイヤホン端子（不図示）に出力する。
【００３４】
Ｂ．動作  
次に、上記構成による携帯端末１０およびＰＣ３０の動作について説明する。以下では、図５〜図９を参照して携帯端末１０が実行する「メインルーチン」の動作を説明した後、このメインルーチンからコールされる「楽曲データ指定処理」および「受信処理」の各動作について述べる。続いて、図１０を参照して携帯端末１０と連携するＰＣ３０の動作を説明する。
【００３５】
（１）メインルーチンの動作
図５は、携帯端末１０のＣＰＵ１００が実行するメインルーチンの動作を示すフローチャートである。ユーザの電源オン操作により携帯端末１０がパワーオンされると、ＣＰＵ１００は図５に図示するメインルーチンを実行してステップＳＡ１に処理を進める。ステップＳＡ１では、位置登録制御シーケンスを実行して網側に位置登録を行った後、待受状態に入る待受処理を実行する。
【００３６】
続いて、ステップＳＡ２〜ＳＡ８では、「設定操作」、「ｗｅｂサイト接続操作」、「楽曲データ受信操作」、「自動受信フラグＦ２のオン設定」、「楽曲データ再生操作」、「電源オフ操作」および「その他操作」のイベントの有無を判別する。これらイベントが発生しなければ、ステップＳＡ２〜ＳＡ８の各判別結果は「ＮＯ」になり、待受状態のまま待機する。一方、待受状態で上記イベントのいずれかが発生すると、その発生したイベントに対応した処理を実行する。以下、イベント毎に分けて動作説明を進める。
【００３７】
＜設定操作が行われた場合＞
ＲＡＭ１０２の設定情報記憶部１０２ｄに記憶される設定情報を設定する設定操作が行われると、ステップＳＡ２の判別結果が「ＹＥＳ」になり、ステップＳＡ９に進む。ステップＳＡ９では、ユーザの設定操作に応じて、図３に図示した設定情報記憶部１０２ｄに格納される直接受信フラグＦ１、自動受信フラグＦ２、自動受信時刻ＡＲＴおよび自動再生フラグＦ３を設定した後、上記ステップＳＡ２に処理を戻して待受状態に復帰する。
【００３８】
＜ｗｅｂサイト接続操作が行われた場合＞
この場合、ステップＳＡ３の判別結果が「ＹＥＳ」になり、ステップＳＡ１０に進み、楽曲データ指定処理を実行する。楽曲データ指定処理では、後述するように、音楽配信サービス装置４０から取得した楽曲リストを参照し、その中から入手したい所望の楽曲タイトルを指定する楽曲データ指定操作に応じて、楽曲データ送信要求を作成してＲＡＭ１０２の楽曲データ送信要求記憶部１０２ｅに記憶すると共に、未受信フラグ記憶部１０２ｆの未受信フラグをオン設定（「１」）する。
【００３９】
続いて、ステップＳＡ１１を介して受信処理を実行する。受信処理では、後述するように、上記ステップＳＡ１０の楽曲データ指定処理により作成される楽曲データ送信要求を、充電台２０を介した有線接続、赤外線通信あるいは無線ＬＡＮ基地局５０を介した無線接続のいずれかでＰＣ３０へ送信し、これに応じてＰＣ３０から送信される楽曲データを、充電台２０を介した有線接続、赤外線通信あるいは無線ＬＡＮ基地局５０を介した無線接続のいずれかで受信する。そして、受信処理が完了すると、上記ステップＳＡ２に処理を戻して待受表示状態に復帰する。
【００４０】
＜楽曲データ受信操作が行われた場合＞
この場合、ステップＳＡ４の判別結果が「ＹＥＳ」になり、ステップＳＡ１１に進み、受信処理を実行した後、上記ステップＳＡ２に処理を戻して待受表示状態に復帰する。
【００４１】
＜自動受信フラグＦ２がオン設定された場合＞
上述したステップＳＡ９の設定処理において、自動受信フラグＦ２がオン設定されると、ステップＳＡ５の判別結果が「ＹＥＳ」になり、ステップＳＡ１２に進む。ステップＳＡ１２では、自動受信時刻ＡＲＴが設定されているか否かを判別する。自動受信時刻ＡＲＴが設定されていなければ、判別結果は「ＮＯ」になり、ステップＳＡ１１を介して受信処理を実行した後、上記ステップＳＡ２に処理を戻して待受表示状態に復帰する。
【００４２】
一方、自動受信時刻ＡＲＴが設定されていると、上記ステップＳＡ１２の判別結果は「ＹＥＳ」になり、ステップＳＡ１３に進む。ステップＳＡ１３では、現在時刻が自動受信時刻ＡＲＴであるかどうかを判別する。現在時刻が自動受信時刻ＡＲＴでなければ、上記ステップＳＡ１３の判別結果は「ＮＯ」になり、上記ステップＳＡ２に処理を戻して待受表示状態に復帰する。そして、現在時刻が自動受信時刻ＡＲＴになると、上記ステップＳＡ１３の判別結果が「ＹＥＳ」になり、ステップＳＡ１１を介して受信処理を実行した後、上記ステップＳＡ２に処理を戻して待受表示状態に復帰する。
【００４３】
＜楽曲データ再生操作が行われた場合＞
この場合、ステップＳＡ６の判別結果が「ＹＥＳ」になり、ステップＳＡ１４に進み、楽曲データ記憶部１０２ｃに記憶される各曲目の楽曲データの内から選曲された楽曲データを読み出し、これを楽音再生部１１１に供給して楽曲再生を指示した後、上記ステップＳＡ２に処理を戻して待受表示状態に復帰する。
【００４４】
＜電源オフ操作が行われた場合＞
この場合、ステップＳＡ７の判別結果が「ＹＥＳ」になり、ステップＳＡ１５に進み、電源オフ処理を実行した後、本処理を完了させる。
【００４５】
＜その他の操作が行われた場合＞
上述した以外のその他の操作がなされた場合には、ステップＳＡ８の判別結果が「ＹＥＳ」となり、ステップＳＡ１６に進み、その他の処理を実行する。その他の処理とは、例えばメール作成やメール送信などの処理を指す。そして、その他の処理の実行後は、上記ステップＳＡ２に処理を戻して待受状態に復帰する。
【００４６】
（２）楽曲データ指定処理の動作
次に、図６を参照して楽曲データ指定処理の動作を説明する。上述したメインルーチンのステップＳＡ１０（図５参照）を介して本処理が実行されると、ＣＰＵ１００は図６に図示するステップＳＢ１に処理を進め、インターネットＩＴＮ上の配信サイトである音楽配信サービス装置４０（図１参照）にアクセスして楽曲リスト要求を送信する。次いで、ステップＳＢ２では、楽曲リスト要求に応じて音楽配信サービス装置４０から返送される楽曲リストを取得し終えるまで待機する。
【００４７】
そして、音楽配信サービス装置４０から配信可能な曲目を表す楽曲リストを取得すると、上記ステップＳＢ２の判別結果が「ＹＥＳ」になり、ステップＳＢ３に進み、取得した楽曲リストに基づき表示部１０８に楽曲タイトル（曲目）をリスト表示する。続いて、ステップＳＢ４では、リスト表示された楽曲タイトルの内から所望の楽曲タイトルを指定する楽曲データ指定操作が行われるまで待機する。ユーザが楽曲データ指定操作を行うと、ステップＳＢ４の判別結果が「ＹＥＳ」にステップＳＢ５に進む。
【００４８】
ステップＳＢ５では、楽曲データ指定操作に応じて、楽曲ＩＤおよび楽曲タイトルから構成される楽曲データ送信要求を作成してＲＡＭ１０２の楽曲データ送信要求記憶部１０２ｅに記憶する。次いで、ステップＳＢ６では、ＲＡＭ１０２の未受信フラグ記憶部１０２ｆに格納される未受信フラグをオン設定（「１」）し、未受信状態であることを表して本処理を終える。
【００４９】
このように、楽曲データ指定処理では、音楽配信サービス装置４０にアクセスして取得した楽曲リストの内から入手したい所望の楽曲タイトルを指定する楽曲データ指定操作に応じて、楽曲ＩＤおよび楽曲タイトルから構成される楽曲データ送信要求を作成してＲＡＭ１０２の楽曲データ送信要求記憶部１０２ｅにストアすると共に、未受信フラグ記憶部１０２ｆに格納される未受信フラグをオン設定（「１」）する。
【００５０】
（３）受信処理の動作
次に、図７を参照して受信処理の動作を説明する。前述したメインルーチンのステップＳＡ１１（図５参照）を介して本処理が実行されると、ＣＰＵ１００は図７に図示するステップＳＣ１に進み、ＲＡＭ１０２の未受信フラグ記憶部１０２ｆに格納される未受信フラグがオン設定（「１」）されているか否か、つまり未受信状態であるかどうかを判別する。未受信フラグがオフ設定（「０」）され、受信済みの状態であれば、判別結果は「ＮＯ」になり、本処理を終える。
【００５１】
これに対し、未受信状態ならば、上記ステップＳＣ１の判別結果は「ＹＥＳ」になり、ステップＳＣ２に進み、楽曲データ送信要求記憶部１０２ｅから楽曲ＩＤおよび楽曲タイトルから構成される楽曲データ送信要求を読み出す。続いて、ステップＳＣ３〜ＳＣ５では、ＰＣ３０側と通信可能な状況であるか否かを判別する。すなわち、ステップＳＣ３では、充電台２０に設置されているか否かを判別する。ステップＳＣ４では、無線ＬＡＮ基地局５０との通信エリア内であるか否かを判別する。ステップＳＣ５では、ＰＣ３０と赤外線通信可能であるか否かを判別する。
【００５２】
そして、充電台２０に設置されている場合には、上記ステップＳＣ３の判別結果が「ＹＥＳ」になり、ステップＳＣ７を介して「充電台を介した受信処理」を実行した後、ステップＳＣ１２に進む。充電台２０に設置されておらず、無線ＬＡＮ基地局５０との通信エリア内にある場合には、上記ステップＳＣ４の判別結果が「ＹＥＳ」になり、ステップＳＣ８を介して「無線ＬＡＮによる受信処理」を実行した後、ステップＳＣ１２に進む。充電台２０に設置されておらず、かつ無線ＬＡＮ基地局５０との通信エリア内に入っておらず、赤外線通信が可能な場合には、上記ステップＳＣ５の判別結果が「ＹＥＳ」になり、ステップＳＣ９を介して「赤外線通信による受信処理」を実行した後、ステップＳＣ１２に進む。
【００５３】
これに対し、ＰＣ３０側との通信が不可能な状況ならば、上記ステップＳＣ３〜ＳＣ５の各判別結果がいずれも「ＮＯ」となり、ステップＳＣ６に進む。ステップＳＣ６では、ＲＡＭ１０２の設定情報記憶部１０２ｄに記憶される直接受信フラグＦ１がオン設定されているか否かを判別する。直接受信フラグＦ１がオフ設定されていれば、判別結果は「ＮＯ」になり、本処理を終える。
【００５４】
一方、直接受信フラグＦ１がオン設定されていると、上記ステップＳＣ６の判別結果が「ＹＥＳ」になり、ステップＳＣ１０に進み、音楽配信サービス装置４０から楽曲データを直接受信する動作が可能な状態、すなわち基地局ＢＳのサービス圏内であるかどうかを判別する。サービス圏外であると、判別結果は「ＮＯ」になり、本処理を終えるが、サービス圏内ならば、上記ステップＳＣ１０の判別結果が「ＹＥＳ」になり、ステップＳＣ１１を介して「直接通信による受信処理」を実行した後、ステップＳＣ１２に進む。
【００５５】
そして、ステップＳＣ１２では、ＲＡＭ１０２の設定情報記憶部１０２ｄに記憶される自動再生フラグＦ３がオン設定されているか否かを判別する。自動再生フラグＦ３がオフ設定されていれば、判別結果は「ＮＯ」になり、本処理を終える。一方、自動再生フラグＦ３がオン設定されていると、上記ステップＳＣ１２の判別結果は「ＹＥＳ」になり、ステップＳＣ１３に進み、上記ステップＳＣ７〜ＳＣ９又はステップＳＣ１１のいずれかで受信した楽曲データを自動的に再生させた後、本処理を終える。
【００５６】
（３）充電台を介した受信処理の動作
上述した通り、ＰＣ３０側と通信可能な状況下では、「充電台を介した受信処理」、「無線ＬＡＮによる受信処理」および「赤外線通信による受信処理」のいずれかが実行される。これら受信処理は類似するので、以下ではその代表例として「充電台を介した受信処理」の動作について図８を参照して説明する。
【００５７】
上述した受信処理のステップＳＣ７（図７参照）を介して「充電台を介した受信処理」が実行されると、ＣＰＵ１００は図７に図示するステップＳＤ１に進み、ＲＡＭ１０２の楽曲データ送信要求記憶部１０２ｅから楽曲ＩＤおよび楽曲タイトルから構成される楽曲データ送信要求を読み出す。次いで、ステップＳＤ２では、充電台２０を介して有線接続されるＰＣ３０とのアクセス認証（認証処理）を行う。そして、ＰＣ３０との通信が確立すると、ステップＳＤ３に進み、ＰＣ３０側に楽曲データ送信要求を送信する。
【００５８】
ところで、ＰＣ３０では、後述するように、携帯端末１０側から楽曲データ送信要求を受信すると、その楽曲データ送信要求を構成する楽曲ＩＤを検索キーとして該当する楽曲データが記憶媒体に記憶されているかどうかを検索する。該当する楽曲データが記憶されていれば、その楽曲データを記憶媒体から読み出して充電台２０を介して有線接続される携帯端末１０側へ送信する。一方、該当する楽曲データが記憶されていない場合には、音楽配信サービス装置４０にアクセスして携帯端末１０側が所望する楽曲データを受信した後、これを充電台２０を介して有線接続される携帯端末１０側へ送信するようになっている。
【００５９】
さて、携帯端末１０では、ＰＣ３０側に楽曲データ送信要求を送信した後、ステップＳＤ４に進み、要求した楽曲データをＰＣ３０側から受信し終えるまで待機する。そして、上述したようにＰＣ３０側から送信される楽曲データを受信し終えると、ステップＳＤ４の判別結果が「ＹＥＳ」になり、ステップＳＤ５に進み、受信した楽曲データをＲＡＭ１０２の楽曲データ記憶部１０２ｂに記憶する。そして、ステップＳＤ６では、ＲＡＭ１０２の楽曲データ送信要求記憶部１０２ｅに記憶される楽曲データ送信要求を削除し、続くステップＳＤ７では、ＲＡＭ１０２の未受信フラグ記憶部１０２ｆに格納される未受信フラグがオフ設定（「０」）して本処理を終える。
なお、「無線ＬＡＮによる受信処理」および「赤外線通信による受信処理」では、通信手段（充電台を介した有線接続か、無線ＬＡＮ基地局５０を介した無線接続か、赤外線通信か）が異なるだけで、上述した「充電台を介した受信処理」と同様の処理が実行される。
【００６０】
（４）直接通信による受信処理の動作
次に、図９を参照して「直接通信による受信処理」の動作を説明する。上述した受信処理のステップＳＣ１１（図７参照）を介して本処理が実行されると、ＣＰＵ１００は図９に図示するステップＳＥ１に進み、ＲＡＭ１０２の楽曲データ送信要求記憶部１０２ｅから楽曲ＩＤおよび楽曲タイトルから構成される楽曲データ送信要求を読み出す。次いで、ステップＳＥ２では、無線通信網ＲＮを経由してインターネットＩＴＮ上の配信サイトである音楽配信サービス装置４０にアクセスして認証処理を実行する。音楽配信サービス装置４０にアクセス認証されると、ステップＳＥ３に進み、音楽配信サービス装置４０に楽曲データ送信要求を送信する。
【００６１】
ステップＳＥ４では、決済条件（クレジット情報）を音楽配信サービス装置４０に送信する。これにより、音楽配信サービス装置４０では、楽曲データの受信料金を決済する料金決済処理を実行する。次いで、ステップＳＥ５では、料金決済した後に音楽配信サービス装置４０から配信される楽曲データを受信し終えるまで待機する。そして、楽曲データを受信し終えると、ステップＳＥ５の判別結果が「ＹＥＳ」になり、ステップＳＥ６に進む。
【００６２】
ステップＳＥ６では、受信した楽曲データをＲＡＭ１０２の楽曲データ記憶部１０２ｂに記憶し、続いてステップＳＥ７では、ＲＡＭ１０２の楽曲データ送信要求記憶部１０２ｅに記憶される楽曲データ送信要求を削除する。そして、ステップＳＥ８では、ＲＡＭ１０２の未受信フラグ記憶部１０２ｆに格納される未受信フラグがオフ設定（「０」）して本処理を終える。
【００６３】
（５）ＰＣの処理の動作
図１０は、ＰＣ３０側で実行される「ＰＣの処理」の動作を示すフローチャートである。ＰＣ３０では、携帯端末１０と通信可能な状況、すなわち携帯端末１０側が前述した「充電台を介した受信処理」、「無線ＬＡＮによる受信処理」および「赤外線通信による受信処理」のいずれかを実行すると、ステップＳＦ１に進み、充電台２０（有線接続）、無線ＬＡＮ接続もしくは赤外線通信のいずれかで接続される携帯端末１０のアクセス認証を行う。そして、携帯端末１０との通信が確立すると、ステップＳＦ２に進み、携帯端末１０から楽曲データ送信要求を受信するまで待機する。
【００６４】
携帯端末１０から楽曲データ送信要求を受信すると、上記ステップＳＦ２の判別結果が「ＹＥＳ」となり、ステップＳＦ３に進む。ステップＳＦ３では、携帯端末１０から受領した楽曲データ送信要求を構成する楽曲ＩＤを検索キーとして、該当する楽曲データを自己の記憶媒体から検索する。次いで、ステップＳＦ４では、検索結果に基づき該当する楽曲データが記憶されているかどうかを判別する。該当する楽曲データが記憶されていると、判別結果は「ＹＥＳ」となり、ステップＳＦ５に進み、その楽曲データを記憶媒体から読み出して携帯端末１０側へ送信した後、本処理を終える。
【００６５】
一方、該当する楽曲データが記憶されていなければ、上記ステップＳＦ４の判別結果は「ＮＯ」になり、ステップＳＦ６に進む。ステップＳＦ６では、有線回線又は無線回線を介してインターネットＩＴＮ上の配信サイトである音楽配信サービス装置４０にアクセスして認証処理を実行する。音楽配信サービス装置４にアクセス認証されると、ステップＳＦ７に進み、音楽配信サービス装置４０へ楽曲データ送信要求を送信する。
【００６６】
ステップＳＦ８では、決済条件（クレジット情報）を音楽配信サービス装置４０に送信する。これにより、音楽配信サービス装置４０では、楽曲データのダウンロード料金を決済する料金決済処理を実行する。次いで、ステップＳＦ９では、料金決済した後に音楽配信サービス装置４０から配信される楽曲データを受信し終えるまで待機する。そして、楽曲データを受信し終えると、ステップＳＦ９の判別結果が「ＹＥＳ」になり、ステップＳＦ１０に進み、受信した楽曲データを記憶保存する。この後、ステップＳＦ５に進み、記憶保存した楽曲データを記憶媒体から読み出して携帯端末１０側へ送信した後、本処理を終える。
【００６７】
以上のように、本実施の形態では、携帯端末１０が無線通信網ＲＮを経由してインターネットＩＴＮ上の配信サイトである音楽配信サービス装置４０にアクセスして楽曲リストを取得し、取得した楽曲リストの中から入手したい曲目を選択して楽曲データ送信要求を作成する。そして、作成した楽曲データ送信要求を、充電台２０を介した有線接続、赤外線通信あるいは無線ＬＡＮ基地局５０を介した無線接続のいずれかでＰＣ３０に送信する。すると、ＰＣ３０は、携帯端末１０から受信した楽曲データ送信要求に基づき、該当する楽曲データを音楽配信サービス装置４０から受信し、受信された楽曲データを、充電台２０を介した有線接続、赤外線通信あるいは無線ＬＡＮ基地局５０を介した無線接続のいずれかで携帯端末１０に送信するので、所望のコンテンツデータ（楽曲データ）を容易かつ安価に入手できるようになる。
【００６８】
なお、上述した実施の形態では、ＰＣ３０との通信が不可能な場合、携帯端末１０は前述した「直接通信による受信処理」を実行して音楽配信サービス装置４０から所望の楽曲データを直接的に受信するので、ＰＣ３０との通信が不可能な状況であっても所望のコンテンツデータ（楽曲データ）を容易に入手し得るようになる。
また、これに替えて、例えばＰＣ３０との通信が不可能であれば、充電台２０を介した有線接続、赤外線通信あるいは無線ＬＡＮ基地局５０を介した無線接続のいずれかが可能になることを監視し、通信可能な状況になったときに楽曲データ送信要求をＰＣ３０側へ送信する態様としても構わない。このようにすれば、ＰＣ３０との通信が可能な状況になった時点で自動的に楽曲データ送信要求をＰＣ３０側へ送信し、これに応じてＰＣ３０側から楽曲データを受信する為、所望のコンテンツデータ（楽曲データ）を容易かつ安価に入手できる。
【００６９】
また、携帯端末１０とＰＣ３０とは、充電台２０を介した有線接続、赤外線通信あるいは無線ＬＡＮ基地局５０を介した無線接続のいずれかでデータ授受する為、所望のコンテンツデータ（楽曲データ）を安価に入手することができる。
【００７０】
さらに、本実施の形態では、予め指定しておいた自動受信時刻ＡＲＴになると、自動的に楽曲データ送信要求をＰＣ３０側へ送信し、これに応じてＰＣ３０側から楽曲データを受信する為、ユーザ所望の時刻に所望のコンテンツデータ（楽曲データ）を入手できる。
【００７１】
加えて、本実施の形態では、携帯端末１０が充電台２０を介した有線接続、赤外線通信あるいは無線ＬＡＮ基地局５０を介した無線接続のいずれかでＰＣ３０に楽曲データ送信要求を送信すると、ＰＣ３０は、携帯端末１０から受領した楽曲データ送信要求に基づき、該当する楽曲データが自己の記憶媒体に記憶されているかどうかを検索し、該当する楽曲データが記憶されていれば、その楽曲データを自己の記憶媒体から読み出して充電台２０を介した有線接続、赤外線通信あるいは無線ＬＡＮ基地局５０を介した無線接続のいずれかで携帯端末１０に送信する為、所望のコンテンツデータ（楽曲データ）を容易かつ安価に入手できる。
【００７２】
一方、該当する楽曲データが自己の記憶媒体に記憶されていなければ、音楽配信サービス装置４０にアクセスして携帯端末１０側が所望する楽曲データをダウンロードした後、これを充電台２０を介した有線接続、赤外線通信あるいは無線ＬＡＮ基地局５０を介した無線接続のいずれかで携帯端末１０側へ送信するので、受信料金を二重課金されることがなく、これ故、所望のコンテンツデータ（楽曲データ）を容易かつ安価に入手できる。
なお、本実施の形態では、充電台２０を介した通信は有線接続による通信としたが、これに限らず、Ｂｌｕｅｔｏｏｔｈや赤外線を用いた無線通信でも良い。
また、本実施の形態では、音楽配信システムとしたが、静止画、動画、各種ゲームなど、コンテンツデータ配信システムであれば良い。
【図面の簡単な説明】
【００７３】
【図１】携帯端末１０が適用される音楽配信システムの概略構成を示すシステム構成図である。
【図２】携帯端末１０の構成を示すブロック図である。
【図３】設定情報記憶部１０２ｄに格納される設定情報の一例を示す図である。
【図４】楽曲データ送信要求記憶部１０２ｅに格納される楽曲データ送信要求の一例を示す図である。
【図５】メインルーチンの動作を示すフローチャートである。
【図６】楽曲データ指定処理の動作を示すフローチャートである。
【図７】受信処理の動作を示すフローチャートである。
【図８】充電台を介した受信処理の動作を示すフローチャートである。
【図９】直接通信による受信処理の動作を示すフローチャートである。
【図１０】ＰＣ３０側で実行されるＰＣの処理の動作を示すフローチャートである。
【符号の説明】
【００７４】
１０  携帯端末
２０  充電台
３０  パーソナルコンピュータＰＣ
４０  音楽配信サービス装置
５０  無線ＬＡＮ基地局
１００  ＣＰＵ
１０１  ＲＯＭ
１０２  ＲＡＭ
１０２ａ  加入者情報記憶部
１０２ｂ  課金情報記憶部
１０２ｃ  楽曲データ記憶部
１０２ｄ  設定情報記憶部
１０２ｅ  楽曲データ送信要求記憶部
１０２ｆ  未受信フラグ記憶部
１０３  無線通信送受信部
１０４  無線ＬＡＮ通信送受信部
１０５  赤外線通信送受信部
１０６  充電台接続部
１０７  音声信号処理部
１０８  表示部
１０９  操作部
１１０  ＲＴＣ
１１１  楽音再生部
【図１】
2008180771.tif 000003
【図２】
2008180771.tif 000004
【図３】
2008180771.tif 000005
【図４】
2008180771.tif 000006
【図５】
2008180771.tif 000007
【図６】
2008180771.tif 000008
【図７】
2008180771.tif 000009
【図８】
2008180771.tif 000010
【図９】
2008180771.tif 000011
【図１０】
2008180771.tif 000012